(57)【特許請求の範囲】
【請求項１】
洗濯物を収容する洗濯兼脱水槽と、前記洗濯兼脱水槽を回転自在に収容した外槽と、前記洗濯兼脱水槽を回転駆動する駆動手段と、前記洗濯兼脱水槽内に給水する給水弁と、前記外槽内の水位を検知する水位検知手段と、前記水位検知手段からの情報を入力するとともに前記駆動手段、前記給水弁などの動作を制御し行程を制御する制御手段と、前記洗濯兼脱水槽と前記外槽との間に洗剤を投下させる洗剤通路部とを備え、前記制御手段は、運転開始時において、前記外槽内の水位が所定水位未満の場合は、前記給水弁を制御して前記所定水位まで給水した後、前記洗濯兼脱水槽を回転させることで前記洗濯兼脱水槽と前記外槽の間の洗剤を溶解させる行程を実行し、前記外槽内の水位が所定水位以上の場合は、給水することなく前記洗濯兼脱水槽を回転させることで前記洗濯兼脱水槽と前記外槽との間の洗剤を溶解させる行程を実行するようにした洗濯機。
【発明の詳細な説明】
【０００１】
【発明の属する技術分野】
本発明は、洗剤を効率的に溶解させて洗濯する洗濯機に関する。
【０００２】
【従来の技術】
従来、洗濯機は図４に示すように構成していた。以下、その構成について説明する。
【０００３】
図４に示すように、外槽２３は、回転自在に配設した洗濯兼脱水槽２４を内包し、吊り棒２５により洗濯機外枠２６に吊り下げている。モータ（駆動手段）２７は、Ｖベルト２８および減速機構２９を介して洗濯兼脱水槽２４および洗濯兼脱水槽２４の内底部に回転自在に配設した攪拌翼３０を回転駆動する。カバー体３１は、外槽２３の上部に設け、散水用の吐出部を形成するものである。
【０００４】
給水弁３２は、洗濯兼脱水槽２４内に水を給水するものであり、水位検知手段３３は、外槽２３内の水位を検知するもので、排水弁３４は外槽２３内の洗濯水を排水するものである。洗剤通路部３５は上方から粉末合成洗剤などを投入することにより、洗剤を外槽２３と洗濯兼脱水槽２４との間に落下させるよう構成しており、洗剤を直接投下させる手段を形成している。環状の流体バランサー３６は脱水時の振動を低減するものである。制御装置３７は、モータ２７、排水弁３４、給水弁３２などを制御して、洗濯、すすぎ、脱水の各行程を逐次制御するものである。
【０００５】
上記構成において動作を説明すると、洗濯兼脱水槽２４内に洗濯物を投入し、洗剤通路部３５に洗剤を投入した後、運転を開始すると、給水弁３２を作動させて給水を開始し、洗濯兼脱水槽２４が回転を始める。水位検知手段３３が所定水位を検知すると、給水弁３２の動作を停止し、洗濯兼脱水槽２４の回転数を所定回転数まで上昇させる。
【０００６】
洗濯兼脱水槽２４の回転数が上昇することにより、外槽２３と洗濯兼脱水槽２４との間の洗剤（洗濯水）を攪拌する攪拌する力が増大し、外槽２３と洗濯兼脱水槽２４との間の洗剤は溶解される。洗濯兼脱水槽２４の回転を所定時間行い、洗濯兼脱水槽２４の回転を停止させ、再び給水弁３２を作動させて給水を開始し、水位検知手段３３が洗濯時の水位を検知すると給水弁３２の動作を停止し、攪拌翼３０を動作させ、洗濯行程を開始する。
【０００７】
【発明が解決しようとする課題】
しかしながら、この構成の洗濯機の場合、バケツ等で洗濯兼脱水槽２４の回転により洗濯兼脱水槽２４と外槽２３との間の洗剤を溶解させる行程を行う所定水位以上まで給水された後、運転を開始された場合、すなわち運転開始以前に洗濯兼脱水槽２４内に洗濯兼脱水槽２４の回転により洗濯兼脱水槽２４と外槽２３との間の洗剤を溶解させる行程を行う所定水位以上まで水があった場合、洗濯兼脱水槽２４の回転により洗濯兼脱水槽２４と外槽２３との間の洗剤を溶解させる行程は行われないまま、洗濯行程が開始されるため、外槽２３と洗濯兼脱水槽２４との間に落下された洗剤は溶解されず、満足な洗浄性能は得られないという問題を有していた。
【０００８】
本発明は上記課題を解決するもので、洗濯行程前に洗剤溶解性を高めることで、洗浄性能を向上し、洗いむらを低減することを目的としている。
【０００９】
【課題を解決するための手段】
本発明は上記目的を達成するために、洗濯物を収容する洗濯兼脱水槽を外槽内に回転自在に収容し、水位検知手段からの情報を入力するとともに洗濯兼脱水槽を駆動する駆動手段、洗濯兼脱水槽内に給水する給水弁などの動作を制御手段により制御して行程を制御するよう構成し、洗濯兼脱水槽と外槽との間に洗剤を投下させる洗剤通路部を有し、制御手段は、運転開始時において、外槽内の水位が所定水位未満の場合は、給水弁を制御して所定水位まで給水した後、洗濯兼脱水槽を回転させることで洗濯兼脱水槽と外槽の間の洗剤を溶解させる行程を実行し、外槽内の水位が所定水位以上の場合は、給水することなく洗濯兼脱水槽を回転させることで洗濯兼脱水槽と外槽との間の洗剤を溶解させる行程を実行するようにしたである。
【００１０】
これにより、洗濯行程前に洗剤溶解性を高めることができ、洗浄性能を向上し、洗いむらを低減することができる。
【００１１】
【発明の実施の形態】
本発明の請求項１に記載の発明は、洗濯物を収容する洗濯兼脱水槽と、前記洗濯兼脱水槽を回転自在に収容した外槽と、前記洗濯兼脱水槽を回転駆動する駆動手段と、前記洗濯兼脱水槽内に給水する給水弁と、前記外槽内の水位を検知する水位検知手段と、前記水位検知手段からの情報を入力するとともに前記駆動手段、前記給水弁などの動作を制御し行程を制御する制御手段と、前記洗濯兼脱水槽と前記外槽との間に洗剤を投下させる洗剤通路部とを備え、前記制御手段は、運転開始時において、前記外槽内の水位が所定水位未満の場合は、前記給水弁を制御して前記所定水位まで給水した後、前記洗濯兼脱水槽を回転させることで前記洗濯兼脱水槽と前記外槽の間の洗剤を溶解させる行程を実行し、前記外槽内の水位が所定水位以上の場合は、給水することなく前記洗濯兼脱水槽を回転させることで前記洗濯兼脱水槽と前記外槽との間の洗剤を溶解させる行程を実行するようにしたものであり、バケツ等で給水された後、運転を開始された場合でも、洗剤を溶解させる行程を洗濯行程前に行うので、洗濯行程前に洗剤溶解性を高めることができ、洗浄性能を向上し、洗いむらを低減することができる。
【００１２】
【実施例】
以下、本発明の一実施例について、図面を参照しながら説明する。
【００１３】
図１に示すように、外槽１は、回転自在に配設した洗濯兼脱水槽２を内包し、吊り棒３により洗濯機外枠４に吊り下げている。モータ（駆動手段）５は、Ｖベルト６および減速機構７を介して洗濯兼脱水槽２および洗濯兼脱水槽２の内底部に回転自在に配設した攪拌翼８を回転駆動する。カバー体９は、外槽１の上部に設け、散水用の吐出部を形成するものである。
【００１４】
給水弁１０は、洗濯兼脱水槽２内に水を給水するものであり、水位検知手段１１は、外槽１内の水位を検知するもので、排水弁１２は外槽１内の洗濯水を排水するものである。洗剤通路部１３は上方から粉末合成洗剤などを投入することにより、洗剤を外槽１と洗濯兼脱水槽２との間に落下させるよう構成しており、洗剤を直接投下させる手段を形成している。環状の流体バランサー１４は脱水時の振動を低減するものである。
【００１５】
制御装置１５は、図２に示すように構成しており、制御手段１６は、マイクロコンピュータで構成し、パワースイッチング手段１７を介してモータ５、給水弁１０、排水弁１２などの動作を制御し、洗濯、すすぎ、脱水などの一連の行程を逐次制御する。入力設定手段１８は、運転コース等を設定するもので、制御手段１６は入力設定手段１８からの情報を入力して、その情報を基に表示手段１９で表示して使用者に知らせる。記憶手段２０は、制御手段１６により制御するのに必要なデータを記憶している。なお、２１は商用電源、２２は電源スイッチである。
【００１６】
ここで、制御手段１６は、通常、運転を開始したとき、所定水位Ｓ１まで給水し、洗濯兼脱水槽２を回転させて洗濯兼脱水槽２と外槽１との間の洗剤を溶解させる行程を行い、その後、所定水位Ｓａまで給水して洗濯行程を行うようにし、さらに、運転開始以前に、洗濯兼脱水槽２内に所定水位Ｓ１以上の水があった場合には、洗濯行程前に洗濯兼脱水槽２を回転させて洗濯兼脱水槽２と外槽１との間の洗剤を溶解させる行程を行うようにしている。
【００１７】
上記構成において、図３を参照にしながら動作を説明すると、洗濯兼脱水槽２内に洗濯物を投入し、洗剤通路部１３に洗剤を投入した後、洗濯兼脱水槽２の回転により洗濯兼脱水槽２と外槽１との間の洗剤を溶解させる行程を行う所定水位Ｓ１以上の水位Ｓ２までバケツ等で給水し、運転を開始された場合、水位検知手段１１が所定水位Ｓ１以上の水位であると検知すると、洗濯兼脱水槽２を回転させ、洗濯兼脱水槽２の回転数を所定回転数Ｒａまで上昇させる。
【００１８】
洗濯兼脱水槽２を回転させることにより、外槽１と洗濯兼脱水槽２との間の洗剤（洗濯水）を攪拌する攪拌する力が生じ、外槽１と洗濯兼脱水槽２との間の洗剤は溶解される。洗濯兼脱水槽２の回転を所定時間Ｔａ行い、洗濯兼脱水槽２の回転を停止させ、給水弁１０を作動させて給水を開始し、水位検知手段１１が洗濯時の水位Ｓａを検知すると給水弁１０の動作を停止し、攪拌翼８を動作させ、洗濯行程を開始する。
【００１９】
また、バケツ等で給水され、洗濯時の水位Ｓａ以上の水位から運転を開始された場合には、洗濯兼脱水槽２を回転させ、洗濯兼脱水槽２の回転数を上昇させ、外槽１と洗濯兼脱水槽２との間の洗剤を溶解した後、攪拌翼８を動作させ、洗濯行程を開始する。
【００２０】
さらに、バケツ等で給水され、洗濯兼脱水槽２の回転により洗濯兼脱水槽２と外槽１との間の洗剤を溶解させる行程を行う所定水位Ｓ１以下の水位から運転を開始された場合には、所定水位Ｓ１まで給水後、洗濯兼脱水槽２を回転させ、洗濯兼脱水槽２の回転数を上昇させ、外槽１と洗濯兼脱水槽２との間の洗剤を溶解した後、給水を開始し、洗濯時の水位Ｓａに到達後、攪拌翼８を動作させ、洗濯行程を開始する。
【００２１】
このように、バケツ等で給水された後、運転を開始された場合でも、洗濯兼脱水槽２の回転により洗濯兼脱水槽２と外槽１との間の洗剤を溶解させる行程を洗濯行程前に行うので、洗濯行程前に洗剤溶解性を高めることができ、洗浄性能を向上し、洗いむらを低減することができる。
【００２２】
なお、本実施例では、洗濯時の水位Ｓａを検知すると、攪拌翼８を動作させて洗濯行程を開始するよう構成しているが、洗濯行程で、洗濯兼脱水槽２を回転させて、その遠心力により洗濯水を循環させて洗濯するようにしてもよい。
【００２３】
また、本実施例では、運転開始以前に洗濯兼脱水槽２内に水がある場合として、バケツ等で給水された場合としているが、使用者が吸水ポンプを使って給水した場合、洗濯後あるいはすすぎ後に排水せず再び洗濯を行った場合などであっても同様である。
【００２４】
【発明の効果】
以上のように本発明によれば、洗濯物を収容する洗濯兼脱水槽と、前記洗濯兼脱水槽を回転自在に収容した外槽と、前記洗濯兼脱水槽を回転駆動する駆動手段と、前記洗濯兼脱水槽内に給水する給水弁と、前記外槽内の水位を検知する水位検知手段と、前記水位検知手段からの情報を入力するとともに前記駆動手段、前記給水弁などの動作を制御し行程を制御する制御手段と、前記洗濯兼脱水槽と前記外槽との間に洗剤を投下させる洗剤通路部とを備え、前記制御手段は、運転開始時において、前記外槽内の水位が所定水位未満の場合は、前記給水弁を制御して前記所定水位まで給水した後、前記洗濯兼脱水槽を回転させることで前記洗濯兼脱水槽と前記外槽の間の洗剤を溶解させる行程を実行し、前記外槽内の水位が所定水位以上の場合は、給水することなく前記洗濯兼脱水槽を回転させることで前記洗濯兼脱水槽と前記外槽との間の洗剤を溶解させる行程を実行するようにしたから、バケツ等で給水された後、運転を開始された場合でも、洗剤を溶解させる行程を洗濯行程前に行うので、洗濯行程前に洗剤溶解性を高めることができ、洗浄性能を向上し、洗いむらを低減することができる。
【図面の簡単な説明】
【図１】  本発明の一実施例の洗濯機の縦断面図
【図２】  同洗濯機のブロック回路図
【図３】  同洗濯機の要部動作タイムチャート
【図４】  従来の洗濯機の縦断面図
【符号の説明】
１  外槽
２  洗濯兼脱水槽
５  モータ（駆動手段）
１３  洗剤通路部（洗剤を投下させる手段）
１６  制御手段
【図１】
0003972510.tif 000002
【図２】
0003972510.tif 000003
【図３】
0003972510.tif 000004
【図４】
0003972510.tif 000005